(57)【特許請求の範囲】
【請求項１】
自動販売機本体の前面に外扉を有し、前記外扉の内面には表面を透明板で覆われ商品サンプル展示室と、前記商品サンプル展示室の下方に表面を透明板で覆われた広告パネル室と、金銭の種類などを識別する金銭識別装置を備えた自動販売機において、前記広告パネル室への広告パネルの着脱を前記外扉の裏側から可能とするもので、前記外扉の裏側に隙間部を形成した取付板に前記金銭識別装置を固定し、前記隙間部は前記広告パネル室の一部とすることを特徴とする自動販売機。
【請求項２】
取付板に段部を形成し、前記段部は広告パネル室の後方投影面で少なくとも一部がラップするように配置するとともに、前記段部に金銭識別装置を固定することを特徴とする請求項１に記載の自動販売機。
【請求項３】
取付板と隣接して広告パネル室の広告カバーを配置することを特徴とする請求項１または２に記載の自動販売機。
【発明の詳細な説明】
【技術分野】
【０００１】
本発明は、自動販売機の外扉の正面に広告パネル室を設け、販売商品の宣伝を行なう自動販売機置に関するものである。
【背景技術】
【０００２】
近年、この種の自動販売機の表示装置は、集客性の向上を図るため、自動販売機の外観寸法に関らず、中身商品の広告内容を表示した広告パネルを配置し、消費者への購買意欲増加させることが要求されている。そのため、販売商品を分かり易くする方法として、販売商品の図又は写真を印刷した広告パネルを大型にして、季節の変り目など販売商品を変更する際に交換して、消費者への理解を深めるようにしている（例えば、特許文献１）。
【０００３】
以下、図面を参照しながら、従来の自動販売機について説明する。
【０００４】
図４と図５は従来の自動販売機の表示装置の概略構成を示すものである。
【０００５】
同図において、自動販売機の本体ケース（図示しない）前面をなし、左右いずれかの端と本体ケースと回動自在に軸支された外扉１と、外扉１の回転軸の反対の端と本体ケースを固定するロック部材２と、外扉１の上部位置に形成した商品サンプル展示窓３が形成され、外扉１の裏面より固定する商品サンプル展示窓３全面を覆う透明なサンプル外板４と、各販売商品毎に設けられた複数数の商品選択釦５と、商品選択釦５と対向する位置の上方に展示された商品サンプル６とで商品サンプル展示室７が構成されている。
【０００６】
外扉１の所定位置には販売操作機能として、商品購入者が購入商品の金額を投入する硬貨投入口８と、つり銭を返却する返却レバー９と、硬貨投入口８と返却レバー９の外扉１の内面に設けた投入硬貨の金額を判定する硬貨識別装置１０と、返却レバー９操作時につり銭を取出すつり銭返却口１１と、選択した商品を取り出す商品取出口１２と、必要に応じ設ける紙幣の挿入口を形成した金額を判定する紙幣識別装置１３と、自動販売機の動作を制御する制御装置１４が設けられている。
【０００７】
外扉１の商品サンプル展示窓３の下方には、広告パネル窓１５が形成され、外扉１の裏面より固定して、広告パネル窓１５全面を覆う透明な広告外板１６と、広告パネル窓１５全面を覆う寸法で収納商品の広告内容を図や写真に印刷した広告パネル１７を配置する。図示のものでは、広告パネル１７の下端に位置する底板１８と、底板１８の下端部を回動自在に軸支し、表面を広告パネル１７を保持するパネル支持板１９と、パネル支持板１９を垂直状態での保持を可能にするストッパー部材２０とで広告パネル室２１が構成され、外扉１より広告パネル窓１５を見ると、広告パネル１７の広告内容が表示可能になる。
【０００８】
ここで広告パネル１７の交換方法について説明すると、ロック部材２の操作により外扉１を開放して外扉１の裏面よりストッパー部材２０の操作によりパネル支持板１９の垂直状態の保持を解除すると、パネル支持板１９は下端を中心に外扉１の裏面方向に回動し、ほぼ垂直状態で広告パネル１７は作業者が手で操作できる状態になり、交換が可能になる。交換終了後は、前記とは逆方向にパネル支持板１９を回動し、垂直位置になるとストッパー部材２０により保持され、作業が完了する。
【０００９】
次に、図６と図７は他の一例による従来の自動販売機の表示装置の概略構成を示すものであり、以下、図面を参照しながら、説明する。
【００１０】
同図において、広告パネル窓１５全面を覆う透明部材であり、外扉１の正面より左端と回動自在に軸支され、固定する広告外扉２２と、広告外扉２２の右端には外扉１と係合し固定するロック機構２３と、外扉１内部には広告パネル窓１５内面を覆う形状に形成された第２パネル支持板２４に保持された広告パネル１７とで第２広告パネル室２５が構成され、外扉１より広告パネル窓１５を見ると、広告パネル１７の広告内容が表示可能になる。
【００１１】
広告パネル１７の交換方法については、ロック機構２３を開錠し、広告外扉２２を外扉１前方に開放することにより、広告パネル１７は作業者が手で操作できる状態になり、交換が可能になる。交換終了後は、前記とは逆方向に広告外扉２２を回動し、ロック機構２３を施錠して作業が完了する。
【特許文献１】特開２００３−５１０５８号公報
【発明の開示】
【発明が解決しようとする課題】
【００１２】
しかしながら上記従来の構成では、幅寸法が比較的限定された自動販売機にとっては硬貨投入口８の後方に配置した硬貨識別装置１０や紙幣識別装置１３により、広告パネル１７交換の際、パネル支持板１９の裏面への開放寸法が確保できず、金銭識別装置との干渉を回避する位置まで広告パネル１７の寸法が縮小となり、宣伝効果が減少する。
【００１３】
また、広告外扉２２の如く外扉１の前方開放するためには、自動販売機の管理者はロック機構２３を解除するキーの管理が必要になり、広告外扉２２が正面に露出することで盗難の危険性が増え、さらには広告パネル窓１５より大型の広告外扉２２が配置され正面意匠が悪化する課題を有していた。
【００１４】
本発明は上記従来の課題を解決するもので、自動販売機の幅寸法にとらわれず、大型の広告パネルの配置が外扉の内面より可能になることで広告効果が増加し、さらには広告パネルの交換が容易に行える自動販売機を提供することを目的とする。
【課題を解決するための手段】
【００１５】
前記従来の課題を解決するために本発明の自動販売機は、自動販売機本体の前面に外扉を有し、前記外扉の内面には表面を透明板で覆われ商品サンプル展示室と、前記商品サンプル展示室の下方に表面を透明板で覆われた広告パネル室と、金銭の種類などを識別する金銭識別装置を備えた自動販売機において、前記広告パネル室への広告パネルの着脱を前記外扉の裏側から可能とするもので、前記外扉の裏側に隙間部を形成した取付板に前記金銭識別装置を固定し、前記隙間部は前記広告パネル室の一部とするものである。
【００１６】
これによって、広告パネルの着脱を外扉の裏側から行うものにおいて、金銭識別装置の配置による制限を受けず、より大きな広告パネルの設置が可能となり、広告パネルによる宣伝効果を高めることができる。
【発明の効果】
【００１７】
本発明の自動販売機は、広告パネルの着脱を外扉の裏側から行うものにおいて、金銭識別装置の配置による制限を受けず、より大きな広告パネルの設置が可能となり、広告パネルによる宣伝効果を高めることができる。
【発明を実施するための最良の形態】
【００１８】
請求項１に記載の発明は、自動販売機本体の前面に外扉を有し、前記外扉の内面には表面を透明板で覆われ商品サンプル展示室と、前記商品サンプル展示室の下方に表面を透明板で覆われた広告パネル室と、金銭の種類などを識別する金銭識別装置を備えた自動販売機において、前記広告パネル室への広告パネルの着脱を前記外扉の裏側から可能とするもので、前記外扉の裏側に隙間部を形成した取付板に前記金銭識別装置を固定し、前記隙間部は前記広告パネル室の一部とするものであり、金銭識別装置の配置による制限を受けず、より大きな広告パネルの設置が可能となり、広告パネルによる宣伝効果を高めることができる。
【００１９】
請求項２に記載の発明は、請求項１に記載の発明において、取付板に段部を形成し、前記段部は広告パネル室の後方投影面で少なくとも一部がラップするように配置するとともに、前記段部に金銭識別装置を固定するものであり、取付板を用いて広告パネル室のスペースをより大きく確保することができる。
【００２０】
請求項３に記載の発明は、請求項１または２に記載の発明において、取付板と隣接して広告パネル室の広告カバーを配置するものであり、広告パネルの着脱を外扉の裏側から行うものにおいて、広告パネルの着脱を容易に行うことができる。
【００２１】
以下本発明の実施の形態について、図面を参照しながら説明するが、従来例と同一構成、同一動作については同一符号を付してその詳細な説明を省略する。
【００２２】
なお、本実施の形態によって本発明が限定されるものではない。
【００２３】
（実施の形態１）
図１は本発明の実施の形態１における自動販売機の正面図、図２は図１の要部縦断面図、図３は図１の要部平面断面図である。
【００２４】
図１において、自動販売機本体１００の前面には外扉２６が回動自在に軸支されている。外扉２６の上部には商品サンプルを展示する商品サンプル展示室７が形成されており、商品サンプル展示室７の下方には金額を投入する硬貨投入口８や釣銭を返却する返却レバー９、また紙幣を挿入する紙幣挿入口１０１が配置されている。外扉の裏面側には硬貨識別装置１０と紙幣識別装置１３が固定されている。
【００２５】
紙幣挿入口１０１の下方には商品広告などを展示する広告展示室１０２が形成されている。広告展示室１０２の下方には搬出された商品を取り出す商品取出口１２が備えられている。
【００２６】
広告展示室１０２の横幅寸法は外扉２６の横幅寸法の半分以上の幅で大きく形成され利用者へのアピール度を確保している。特に横幅の狭い飲料自動販売機の場合、広告展示室１０２のように外扉２６に開口部を大きく形成すると、上記のような金銭機能部品を外扉２６に固定することができず、広告展示室１０２が小さく配置されがちであったが、今回の発明により十分大きさを確保することができた。
【００２７】
図２は図１の要部縦断面図である。広告展示室１０２は外扉２６の裏側に広告パネル室３１を形成し、広告パネル室３１の前面に透明樹脂製板で形成した広告窓２７を備えている。そして商品などの広告パネル１７が広告パネル室３１内に装着される。
【００２８】
また紙幣挿入口１０１の後方に配置される紙幣識別装置１３は外扉２６の裏側に固定されており、図１のように広告パネル室３１とラップして配置されている。この紙幣識別装置１３の取付構造について説明すると、外扉２６を構成する金属製の外板４の裏側には金属性の取付板２８が溶接等で固定されており、外扉２６の金銭機能部品が配置される箇所は取付板２８を形成した２重構造の外扉２６が形成されている。
【００２９】
図３のように取付板２８は外板４の裏面に形成し、硬貨識別装置１０と紙幣識別装置１３を固定している。取付板２８は部分的に段部２８ａを形成し、段部２８ａは外扉２６の後方に向かって折り曲げられている。そしてこの段部２８ａに紙幣識別装置１３が固定されている。
【００３０】
また図３のように段部２８ａの前方は広告窓２７があり、広告展示室１０２と前後方向でラップしており、段部２８ａに紙幣識別装置１３が固定されている。取付板２８と隣接して広告カバー２９を有し、広告カバー２９は軸１０３を中心に回動自在に形成されている。軸１０３は取付板２８に軸支され、広告カバー２９の一端部２９ａがカール加工されて軸１０３の軸受けとなっている。広告カバー２９は広告パネル１７に向かって凹形状部２９ｂを有しており、凹形状部２９ｂには自動販売機の動作を制御する制御装置１０４（コントローラ）を収納している。広告カバー２９が鉄板等で形成されていれば制御装置１０４であるコントローラを磁石によって着脱可能に収納保持することが容易にできる。
【００３１】
上記のように広告展示室１０２を形成する広告パネル室３１は外板４と取付板２８間で形成された隙間部１０５と広告カバー２９で囲まれて構成されている。広告カバー２９の他端部２９ｃは外扉２６の側部に有した土手部２６ａに嵌合保持されている。
【００３２】
また取付板２８は横幅方向で広告展示室１０２のほぼ中央位置までを覆うような形状であり、取付板２８は立ち上がり部２８ａを形成し、立ち上がり部２８ａに軸１０３を軸支する軸支部を形成している。
【００３３】
３０は圧縮により形状が変化する弾性部材で形成されたパネル押さえ部材であり、パネル押さえ部材３０は広告カバー２９の広告パネル室３１側に固定し、図３のように広告パネル１７を外扉２６の内側から押さえて広告パネル１７の前後方向の移動を規制している。
【００３４】
以上のように構成された自動販売機の表示装置について、以下その動作、作用の一例について説明する。
【００３５】
広告パネル１７を広告パネル室３１に取り付ける際は、外扉２６を開放し広告カバー２９の他端部２９ｃを土手部２６ａから解除し、広告カバー２９を開放する。このとき軸１０３を中心に回動して、広告パネル室３１の約半幅分が開放された状態となる。
【００３６】
そして広告パネル１７をこの開放部に斜め方向から隙間部１０５に向かって挿入することで、外扉２６の幅の半分以上の幅に広告パネル１７を挿入することができる。また広告カバー２９を開放している時、広告カバー２９が紙幣識別装置１３を覆った状態となって広告パネル１７の取付作業を行うことができるので、外から目隠しとなり作業中の防盗性を確保することができる。
【００３７】
また外扉２６が外板４と取付板２８で２重構造となっているので、上記のように広告パネル室３１のスペースを広く確保することができ、利用者への広告アピールを啓蒙することができる。また広告カバー２９を閉じた時に、パネル押さえ部材３０によって広告パネル１７を後方から押さえるので、広告パネル１７の前後方向の移動を固定でき、広告窓２７に密着させることができるので、利用者から見やすく展示することができる。
【００３８】
広告パネル１７を取り外す際は、広告カバー２９を開け、広告パネル１７の端を摘み斜め後方に引抜くだけで可能になる。
【００３９】
以上のように本実施の形態においては、広告パネル室３１内に配置した広告パネル室３１の後方に広告カバー２９と金銭識別装置とを隣り合せに配置することで、外扉２６の裏面より広告パネル１７の挿入が可能になり、外板４と金銭識別装置等の取付板２８との間の空間までが広告パネル室３１として活用でき、盗難の危険性が無く、大型寸法の広告部材の取付けが容易に可能になり、広告効果を高めることができる。
【００４０】
また、金銭識別装置の広告カバーを開閉することで、広告パネル室が開放し、広告パネルの着脱が容易にできる。
【００４１】
また、広告カバーの形状を凹形状部にして庫内スペースの有効活用と広告パネル１７の取付け操作性の良化。さらには清掃及びサービス時の簡単着脱ができ操作性が良い自動販売機を提供できる。
【産業上の利用可能性】
【００４２】
以上のように、本発明にかかる自動販売機の表示装置は、宣伝効果を目的とする広告パネルが僅かな隙を活用して美しく表示が可能となるので、広告パネル室を備えたあらゆる自動販売機器の用途にも適用できる。
【図面の簡単な説明】
【００４３】
【図１】本発明の実施の形態１における自動販売機の正面図
【図２】図１の要部縦断面図
【図３】図１の要部平面断面図
【図４】従来の自動販売機の構成を示す正面図
【図５】従来の自動販売機の構成を示す側面断面図
【図６】従来の自動販売機の構成を示す正面図
【図７】従来の自動販売機の構成を示す側面断面図
【符号の説明】
【００４４】
７    商品サンプル展示室
１０  硬貨識別装置
１３  紙幣識別装置
１６  広告外板
１７  広告パネル
２６  外扉
２７  広告窓
２８  取付板
２８ａ  段部
２９  広告カバー
２９ａ  一端部
２９ｂ  凹形状部
２９ｃ  他端部
３０  パネル押さえ部材
３１  広告パネル室
１０３  軸
１０４  制御装置
１０５  隙間部
【図１】
0004816733.tif 000002
【図２】
0004816733.tif 000003
【図３】
0004816733.tif 000004
【図４】
0004816733.tif 000005
【図５】
0004816733.tif 000006
【図６】
0004816733.tif 000007
【図７】
0004816733.tif 000008